(57)【特許請求の範囲】
【請求項１】
通風路を有する本体と、前記通風路内に設けられた送風手段と、空気加熱を行う第１の加熱手段と、空気中の塵埃を捕集する集塵手段と、空気中の臭気成分を吸着する脱臭手段と、前記集塵手段と前記脱臭手段の空気流の下流側に位置し、前記集塵手段に捕捉した塵埃を焼却可能な温度に加熱するとともに前記脱臭手段に吸着した臭気成分を分解する温度に加熱する第２の加熱手段を有する空気清浄機能付き暖房機。
【請求項２】
第２の加熱手段は第１の加熱手段の状態に関係なく間歇通電される請求項１記載の空気清浄機能付き暖房機。
【請求項３】
第２の加熱手段は第１の加熱手段の状態に関係なく連続通電される連続モードと、間歇通電される間歇モードを切り替え可能とした請求項１記載の空気清浄機能付き暖房機。
【請求項４】
第２の加熱手段は第１の加熱手段と同等またはそれ以下の消費電力を有する請求項１、２、３の何れか１項記載の空気清浄機能付き暖房機。
【請求項５】
集塵手段を耐熱性の金属やセラミックの繊維状集合体で構成し、前記集塵手段にＣu、Ｍn、Ｃo、Ｆe、Ｎi、Ａg、Ｐd、Ｐt等金属もしくはこれらの金属酸化物の少なくとも一成分よりなる触媒を担持して脱臭手段を構成することにより集塵手段と脱臭手段を一体的に形成した請求項１から４の何れか１項記載の空気清浄機能付き暖房機。
【請求項６】
集塵手段は空気中の塵埃を帯電させて捕集する放電部と集塵部からなり、第１の加熱手段の状態に関係なく第２の加熱手段へ通電時に前記集塵手段への通電を停止し、前記第２の加熱手段へ非通電時に前記集塵手段に通電する請求項１から４の何れか１項記載の空気清浄機能付き暖房機。
【請求項７】
第１の加熱手段および第２の加熱手段は集塵手段と脱臭手段の空気流の下流側に位置し、前記集塵手段に捕捉した塵埃を焼却可能な温度に加熱するとともに前記脱臭手段に吸着した臭気成分を分解する温度に加熱する請求項１から６の何れか１項記載の空気清浄機能付き暖房機。
【請求項８】
集塵手段および脱臭手段は第１の加熱手段と第２の加熱手段の間に位置し、前記第１の加熱手段および前記第２の加熱手段は前記集塵手段に捕捉した塵埃を焼却可能な温度に加熱するとともに前記脱臭手段に吸着した臭気成分を分解する温度に加熱する請求項１から６の何れか１項記載の空気清浄機能付き暖房機。
【請求項９】
集塵手段は空気中の塵埃を帯電させて捕集する放電部と集塵部からなり、第１の加熱手段と第２の加熱手段の少なくともどちらか１方へ通電時に前記集塵手段への通電を停止し、前記第１の加熱手段および前記第２の加熱手段へ非通電時に前記集塵手段に通電する請求項７、８の何れか１項記載の空気清浄機能付き暖房機。
【発明の詳細な説明】
【０００１】
【発明の属する技術分野】
本発明は空気中の塵埃や臭気、カビ、ダニ、花粉、ウイルス、などのアレルゲンや細菌等を除去する空気清浄機能付き暖房機に関する。
【０００２】
【従来の技術】
従来空気清浄機は塵埃を帯電させて集塵板に捕集するものや、繊維状のフィルタに捕集するもの、またはこれらを複合したものが用いられている。さらに活性炭や脱臭手段などによって空気中の臭い成分を除去するもの、健康上の配慮からフィルタに特殊な抗菌処理を施したものもある。
【０００３】
さらに、ヒータを用いた空気清浄機能付き電気暖房機として特開平４−３０９７５１号公報に記載されているようなものが知られている。この装置は図１１に示すように平板状のヒータ１を備え、空気中の臭い成分および微粒子をヒータ１近傍に捕集するための放電装置２と、捕集された臭い成分および微粒子のヒータ１による酸化分解を促進する酸化脱臭手段３を絶縁体４に展着して構成されており、ヒータ１の加熱によって暖房を行うと同時に、放電装置２の放電極５から放電される陽イオンによって微粒子や臭気成分が帯電し、集塵極６に引き寄せられて絶縁体４に付着し、ヒータ１の熱と酸化脱臭手段３によって酸化分解される。
【０００４】
【発明が解決しようとする課題】
しかしながら上記従来の空気清浄機ではフィルタや集塵板の交換やメンテナンスが必要であり、また、抗菌処理したものもウイルスの滅菌、除菌のレベルであり、短時間で殺菌するまでには至らず、またカビ等に対する効果は不十分である。また、図１１の構成のものでは、平板状のヒータ１はあまり高温にはできないのでカビ、花粉などのアレルゲンや塵埃などの固体粒子を焼却する効果は不十分であり、また冬期以外はヒータ１によって室温が上昇するため使用できないという課題があった。
【０００５】
【課題を解決するための手段】
本発明は上記課題を解決するため、通風路を有する本体と、前記通風路内に設けられた送風手段と、空気加熱を行う第１の加熱手段と、空気中の塵埃を捕集する集塵手段と、空気中の臭気成分を吸着する脱臭手段と、前記集塵手段と前記脱臭手段の空気流の下流側に位置し、前記第１の加熱手段の状態に関係なく間歇通電して前記集塵手段に捕捉した塵埃を焼却可能な温度に加熱するとともに前記脱臭手段に吸着した臭気成分を分解する温度に加熱する第２の加熱手段を有する構成としたものである。
【０００６】
上記発明によれば、加熱手段は塵埃を焼却可能な温度としているため、暖房器として連続運転するときは、加熱手段近傍を通過する空気に含まれる塵埃やウイルス、さらにダニ、カビ、花粉などのアレルゲンは焼却され浄化される。また、臭気成分も酸化分解される。また、間歇運転する場合は、加熱手段が非通電時に、集塵手段および脱臭手段に捕捉された塵埃及び臭気は、加熱手段への通電によって焼却、酸化分解され、集塵手段および脱臭手段は再生される。したがって集塵手段や脱臭手段の交換やメンテナンスが不要となる。また、第１の加熱手段と第２の加熱手段を設けるので冬期は暖房能力を十分得られ、また、第１の加熱手段を停止し、第２の加熱手段を間歇運転すれば室温上昇を小さく抑えることができ、冬期以外でも空気清浄機能として使用が可能である。
【０００７】
【発明の実施の形態】
本発明は通風路を有する本体と、前記通風路内に設けられた送風手段と、空気加熱を行う第１の加熱手段と、空気中の塵埃を捕集する集塵手段と、空気中の臭気成分を吸着する脱臭手段と、前記集塵手段と前記脱臭手段の空気流の下流側に位置し、前記集塵手段に捕捉した塵埃を焼却可能な温度に加熱するとともに前記脱臭手段に吸着した臭気成分を分解する温度に加熱する第２の加熱手段を有するものである。
【０００８】
そして、第１の加熱手段で暖房を主体として行うとともに、空気中の塵埃を集塵手段に捕捉し、臭気成分を脱臭手段で吸着捕捉し、第２の加熱手段で高温加熱することによって塵埃を効果的に焼却し、臭気成分の酸化分解を促進するので脱臭手段や集塵手段の交換やメンテナンスが不要となる。ここで第２の加熱手段は集塵手段および脱臭手段の空気流の下流側に設けているので、脱臭手段から脱着した臭気成分や集塵手段から剥離した塵埃も空気流に乗って必ず加熱手段の近傍を通過するので焼却、酸化分解される。
【０００９】
また、上記構成において第２の加熱手段は第１の加熱手段の状態に関係なく間歇通電させるようにしている。
【００１０】
これにより、第２の加熱手段へ非通電時に集塵手段および脱臭手段に捕捉した塵埃や臭気を通電時に高温加熱によって焼却、分解するとともに、間歇通電によって室温上昇を小さく抑えるので、冬期以外でも空気清浄機能を使用することができる。
【００１１】
さらに、第２の加熱手段は、第１の加熱手段の状態に関係なく、連続通電させる連続モードと、間歇通電させる間歇モードを切り替え可能としている。
【００１２】
これにより冬期は第１および第２の加熱手段を連続通電して暖房効果を十分に得るとともに高温加熱による塵埃の焼却と脱臭を行う空気清浄機能付き暖房器として使用し、また、冬期以外は間歇通電によって室温上昇を小さく抑えるので、室温に応じて空気清浄機を主体とした使用ができ、機器の使用期間を大幅に延ばすことができる。
【００１３】
また、上記構成の各々において第２の加熱手段は第１の加熱手段と同等またはそれ以下の消費電力を有するようにしている。
【００１４】
これにより、第１の加熱手段と第２の加熱手段の組み合わせで室温に応じた暖房効果を得るとともに、第２の加熱手段の消費電力が小さい場合は冬期以外の室温上昇をさらに小さく抑えることができる。
【００１５】
また、集塵手段を耐熱性の金属やセラミックの繊維状集合体で構成し、前記集塵手段にＣu、Ｍn、Ｃo、Ｆe、Ｎi、Ａg、Ｐd、Ｐt等金属もしくはこれらの金属酸化物の少なくとも一成分よりなる触媒を担持して脱臭手段を構成することにより前記集塵手段と前記脱臭手段を一体的に形成している。
【００１６】
これにより、集塵手段、脱臭手段の小型化を図るとともに一体化により製造コストの削減が可能となる。また、通風路の圧損を小さくできるのでファンの小型化、低騒音化が可能となる。
【００１７】
また、集塵手段は空気中の塵埃を帯電させて捕集する放電部と集塵部とから構成し、第１の加熱手段の状態に関係なく第２の加熱手段へ通電時に前記集塵手段への通電を停止し、第２の加熱手段へ非通電時に前記集塵手段に通電するようにしている。
【００１８】
これにより、第２の加熱手段へ通電時に集塵手段に捕捉した塵埃を剥離しやすくし、剥離した塵埃をヒータ近傍を通過させて焼却を効果的に行うことができる。
【００１９】
さらに、上記各々の構成において第１の加熱手段および第２の加熱手段は集塵手段と脱臭手段の空気流の下流側に位置し、前記集塵手段に捕捉した塵埃を焼却可能な温度に加熱するとともに前記脱臭手段に吸着した臭気成分を分解する温度に加熱するようにしている。
【００２０】
これにより塵埃の焼却効果および臭気成分の酸化分解を促進し、空気清浄効果を増進することができる。
【００２１】
また、上記各々の構成において集塵手段および脱臭手段は第１の加熱手段と第２の加熱手段の間に配設し、前記第１の加熱手段および前記第２の加熱手段は前記集塵手段に捕捉した塵埃を焼却可能な温度に加熱するとともに前記脱臭手段に吸着した臭気成分を分解する温度に加熱するようにしている。
【００２２】
これにより集塵手段から剥離した塵埃や脱臭手段から脱着した臭気成分を確実に焼却、酸化分解することができる。
【００２３】
また、上記構成において集塵手段を空気中の塵埃を帯電させて捕集する放電部と集塵部から構成し、第１の加熱手段と第２の加熱手段の少なくともどちらか１方へ通電時に前記集塵手段への通電を停止し、前記第１の加熱手段および前記第２の加熱手段へ非通電時に前記集塵手段に通電するようにしている。
【００２４】
これにより、第１の加熱手段と第２の加熱手段の少なくともどちらか１方へ通電時に加熱手段へ通電時に集塵手段に捕捉した塵埃を剥離しやすくし、剥離した塵埃をヒータの近傍を通過させて焼却を効果的に行うことができる。
【００２５】
以下本発明の実施例について図面を用いて説明する。
（実施例１）
図１、図５は本発明の実施例１の空気清浄機能付き暖房機の断面図である。
【００２６】
本体７の下部には下部開口８、上部には上部開口９を有し、本体７内には通風路１０を形成する。１１は通風路１０内に設定された第一の加熱手段であるヒータＡである。上部開口９近傍には臭い成分を吸着する脱臭手段１２が備えられている。脱臭手段１２は耐熱性たとえばセラミックのハニカム状構造体や圧損の低い繊維状集合体、金属繊維の集合体を用いることができる。またはこれらの素材にＣu、Ｍn、Ｃo、Ｆe、Ｎi、Ａg、Ｐd、Ｐt等の少なくとも一成分を担持することにより臭気成分の酸化、分解を促進し大きな脱臭効果を得ることができる。１３は脱臭手段１２の空気流の下流側に設定された集塵手段で、耐熱性のセラミックや金属の繊維状集合体よりなる。また、この集塵手段１３は塵埃に電荷を与えて集塵する方式のものでも良い。１４は集塵手段１３の近傍の空気流の下流側に設けられた第２の加熱手段であるヒータＢで集塵手段１３に捕捉した塵埃を焼却可能な温度に加熱するとともに脱臭手段１２に吸着した臭気成分をも分解する温度に加熱する。１５は空気の循環を強制的に行わせるための送風手段であるファン、１６は装置全体の運転を制御する制御装置、図５に示すように１７は上部開口８にあり大きな塵埃をあらかじめ捕捉するプレフィルタ、１８は断熱材である。
【００２７】
次に動作、作用について説明する。電源（図示せず）を投入してファン１５とヒータＡ１１、ヒータＢ１４に通電すると室内の空気を強制的に上部開口９から吸引し、加熱された空気を下部開口８から排出して室内を暖房する。流入した空気中に含まれる綿埃などの大きな粒子はプレフィルタ１７に捕捉される。通風路１０を流れる空気中に含まれる臭気成分は脱臭手段１２を通過するときに吸着除去され、また、細かな塵埃、カビ、花粉などのアレルゲン、ウイルスなどは集塵手段１３に一旦捕捉される。ここでヒータＢ１４は集塵手段１３に捕捉した塵埃を焼却可能な温度に加熱するとともに脱臭手段１２に吸着した臭気成分を分解する温度に加熱するように設定されているので、集塵手段１３に捕捉された塵埃やアレルゲンはヒータＢ１４による加熱で効果的に焼却除去され、脱臭手段１２に吸着された臭気成分は、触媒作用とヒータＢ１４の加熱により酸化分解が促進される。また、このとき、ヒータＢ１４は脱臭手段１２および集塵手段１３の下流側に設けているので、脱臭手段１２から脱着した臭気成分や集塵手段１３から剥離した塵埃も空気流に乗って必ずヒータＢ１４の近傍を通過するので焼却、酸化分解し、除去される。特にアレルゲンに対してはヒータＢ１４で焼き切ってしまうので除去手段としては非常に有効である。また脱臭手段１２や集塵手段１３は高温加熱により再生されるので、交換やメンテナンスが不要となる。
【００２８】
図２はカビを空気中で加熱したときの状態変化を示したものであり、２８０℃付近から重量減少が始まり、約５００℃でほぼ完全に焼却され、アレルゲンとしての活性は消滅する。従って、ヒータＢ１４は約５００℃以上とすることにより、効果的に焼却することができる。
【００２９】
（実施例２）
図３は本発明の実施例２の空気清浄機能付き暖房機の制御方法を示す動作説明図である。基本的な構成は実施例１と同一であるが、ヒータＢ１４はヒータＡ１１の状態に関係なく間歇通電させるようにしている。ヒータＢ１４に通電しないときは脱臭手段１２による臭気成分の吸着と集塵手段１３による集塵を行い、次にヒータＢ１４に通電したときに臭気成分の酸化分解と塵埃の焼却を行う。図３の領域（ａ）に示すように、室温が低いときはヒータＡ１１に通電し暖房を行ないながらヒータＢ１４の間歇運転による空気浄化を行い、領域（ｂ）に示すように、室温が高いときにはヒータＡ１１への通電を停止してヒータＢ１４の間歇運転による空気浄化のみを行う。約２５ｍ3、外気温２５℃時の室内で６００ＷのヒータＢ１４を用い、５分通電／１０分非通電の繰り返し運転をした場合、室温上昇は約２℃以下であり、体感的にも特に問題は無かった。このように、間歇運転することによって、室温上昇を小さく抑えることができるので、塵埃やアレルゲンの除去、臭気除去などの機能を冬期以外でも長期間使用することができる。また、間歇通電により、粉塵の焼却や臭気成分の酸化分解を行うので、脱臭手段１２および集塵手段１３の再生を行うので脱臭手段１２および集塵手段１３を交換、保守する手間が軽減される。
【００３０】
（実施例３）
図４は本発明の実施例３の空気清浄機能付き暖房機の制御方法を示す動作説明図である。
【００３１】
実施例３はヒータＡ１１の状態に関係なくヒータＢ１４に連続通電する連続モードと、間歇通電して集塵手段１３に集塵した微粒子を焼却しかつ脱臭手段１２に吸着した臭気成分を酸化分解する間歇モードを切り替え可能としている。すなわち（表）に示すように、ヒータＡ１１とヒータＢ１４への通電を制御する。
【００３２】
【表１】
0003726365.tif 000002
【００３３】
これにより、冬期はヒータＡ１１とヒータＢ１４に連続通電して暖房効果を十分に得るとともに、高温加熱による塵埃やアレルゲンの焼却と脱臭を行う空気清浄機能付き暖房器として、またその他の季節は室温が高くなるに従って（ａ）から（ｄ）へとヒータＡ１１およびヒータＢ１４への通電方法を選択することにより、室温上昇を抑制して、空気清浄機能を主体として長期間の使用が可能となる。たとえば、夏期は間歇通電におけるヒータＢ１４のオフ時間を長くし、集塵および臭気成分の吸着のみを行ない、夏期以外に加熱による粉塵の焼却および臭気の酸化分解を行うことも可能であり年間を通じた使用ができるようになる。
【００３４】
（実施例４）
また、実施例４では上記構成の各々においてヒータＢ１４はヒータＡ１１と同等またはそれ以下の消費電力を有するようにしている。
【００３５】
これにより、ヒータＢ１４を間歇通電して塵埃やアレルゲンの除去、脱臭をおこなうとともに、ヒータＡ１１とヒータＢ１４の通電状態の組み合わせで室温に応じた暖房効果を得、実施例３の構成に比べて冬期以外の使用における室温上昇をさらに抑制することができる。
【００３６】
（実施例５）
実施例５は図５に示すように、集塵手段１３を耐熱性の金属やセラミックの繊維状集合体で構成し、この繊維状集合体にＣu、Ｍn、Ｃo、Ｆe、Ｎi、Ａg、Ｐd、Ｐt等の金属もしくはこれらの金属酸化物の少なくとも一成分よりなる触媒を担持して脱臭手段１２を構成することにより集塵手段１３と脱臭手段１２を一体的に形成している。
【００３７】
脱臭手段１２、集塵手段１３の一体化により加熱効率を上げるとともに製造コストの削減が可能となる。また、集塵機能と脱臭機能を兼ね備えることにより通風路の圧損を小さくできるのでファンの小型化、低騒音化を図ることができる。
【００３８】
（実施例６）
実施例６は図６に示すように集塵手段１３を放電部１９と集塵部２０とから構成し、放電部１９を陽極、集塵部２０を陰極として両者間に高電圧を印加し、空気中の塵埃を帯電させて捕集するようにしている。また、図７に示すようにヒータＡ１１の状態に関係なくヒータＢ１４へ通電時に集塵手段１３への通電を停止し、ヒータＢ１４へ非通電時に集塵手段１３に通電するようにしている。
【００３９】
これにより、第２の加熱手段へ通電時に集塵手段に捕捉した塵埃を剥離しやすくし、剥離した塵埃をヒータの近傍を通過させて焼却を効果的に行うことができる。
【００４０】
（実施例７）
実施例７は、図８に示すように上記各々の実施例において第１の加熱手段および第２の加熱手段は集塵手段に捕捉した塵埃を焼却可能な温度に加熱するとともに前記脱臭手段に吸着した臭気成分を分解する温度に加熱するものであり、さらに前記集塵手段と前記脱臭手段の空気流の下流側に位置するようにしている。
【００４１】
これによりヒータＡ１１およびヒータＢ１２の両方を塵埃の焼却および臭気成分の分解に供することができるので、塵埃の焼却効果および臭気成分の酸化分解を促進し、空気清浄効果を増進することができる。
【００４２】
（実施例８）
実施例８は、図９に示すように脱臭手段１２および集塵手段１３は上下のヒータＡ１１とヒータＢ１４の間に設定している。
【００４３】
これにより集塵手段１３から剥離した塵埃や脱臭手段１２から脱着し拡散する臭気成分を確実に上下のヒータＡ１１、ヒータＢ１４の近傍を通過させて焼却、酸化分解することができ、塵埃の焼却効果および臭気成分の酸化分解を促進し、空気清浄効果を増進することができる。
【００４４】
（実施例９）
図１０は本発明の実施例９の空気清浄機能付き暖房機の制御方法を示す動作説明図である。実施例９は、上記構成において集塵手段を空気中の塵埃を帯電させて捕集する放電部と集塵部から構成し、ヒータＡ１１とヒータＢ１４の少なくともどちらか１方へ通電時に前記集塵手段への通電を停止し、第１の加熱手段および第２の加熱手段へ非通電時に前記集塵手段に通電するようにしている
これにより、第１の加熱手段と第２の加熱手段の少なくともどちらか１方へ通電時に加熱手段へ通電時に集塵手段に捕捉した塵埃を剥離しやすくし、剥離した塵埃をヒータの近傍を通過させて焼却を効果的に行うことができる。
【００４５】
なお、以上の実施例ではいずれも第１の加熱手段であるヒータＡ１１として電気ヒータを用いた場合について説明したが、石油やガス等の燃焼熱を利用することも可能であり空気清浄機能付き暖房機として幅広い応用展開が可能である。
【００４６】
【発明の効果】
以上のように本発明によれば、通風路内に設けられた第１の加熱手段と、塵埃を捕集する集塵手段と、臭気成分を吸着する脱臭手段と、集塵手段と脱臭手段の空気流の下流側に、集塵手段に捕捉した塵埃を焼却可能な温度に加熱するとともに脱臭手段に吸着した臭気成分を分解する温度に加熱する第２の加熱手段を有する構成としているので、集塵手段に捕捉した塵埃や、脱臭手段に吸着した臭気成分を第２の加熱手段で高温加熱することによって塵埃やウイルス、さらにダニ、カビ、花粉などのアレルゲンを焼き切り、臭気成分の酸化分解を促進する。したがって脱臭手段や集塵手段の交換やメンテナンスが不要となる。また、第２の加熱手段は集塵手段および脱臭手段の空気流の下流側に設けているので、脱臭手段から脱着した臭気成分や集塵手段から剥離した塵埃は空気流に乗って第２の加熱手段の近傍を通過するので焼却、酸化分解することができる。
【００４７】
また、第２の加熱手段は第１の加熱手段の状態に関係なく間歇通電させるようにしているので第２の加熱手段へ非通電時に集塵手段および脱臭手段に捕捉した塵埃や臭気を通電時に高温加熱によって焼却、分解するとともに脱臭手段、集塵手段を再生することができる。また、間歇通電によって室温上昇を小さく抑えるので、冬期以外でも長期間空気清浄機能を使用することができる。
【００４８】
さらに、第２の加熱手段は、第１の加熱手段の状態に関係なく、連続通電する連続モードと間歇通電する間歇モードを切り替え可能としているので冬期は第１および第２の加熱手段を連続通電して暖房効果を十分に得るとともに高温加熱による塵埃の焼却と脱臭を行う空気清浄機能付き暖房器として使用し、また、冬期以外は第一の加熱手段および第２の加熱手段への通電方法を選択する間歇通電によって室温上昇を小さく抑えるので、室温に応じて空気清浄機を主体とした使用ができ、機器の使用期間を大幅に延ばすことができる。
【００４９】
また、第２の加熱手段は第１の加熱手段と同等またはそれ以下の消費電力を有するようにしているので第１の加熱手段と第２の加熱手段の組み合わせで室温に応じた暖房効果を得るとともに、冬期以外での室温上昇をさらに小さく抑えることができる。
【００５０】
また、耐熱性の金属やセラミックの繊維状集合体にＣu、Ｍn、Ｃo、Ｆe、Ｎi、Ａg、Ｐd、Ｐt等の金属もしくはこれらの金属酸化物の少なくとも一成分よりなる触媒を担持して脱臭手段と集塵手段を一体的に形成しているので、集塵手段、脱臭手段の小型化を図り加熱効率を上げるとともに、一体化により製造コストの低減が可能となる。また、通風路の圧損を小さくできるのでファンの小型化、低騒音化が可能となる。
【００５１】
また、集塵手段を空気中の塵埃を帯電させて捕集する放電部と集塵部とから構成し、第１の加熱手段の状態に関係なく第２の加熱手段へ通電時に前記集塵手段への通電を停止し、第２の加熱手段へ非通電時に前記集塵手段に通電するようにしているので、第２の加熱手段へ通電時に集塵手段に捕捉した塵埃を剥離しやすくし、剥離した塵埃をヒータ近傍を通過させて焼却を効果的に行うことができる。
【００５２】
さらに、第１の加熱手段および第２の加熱手段は集塵手段に捕捉した塵埃を焼却可能な温度に加熱するとともに脱臭手段に吸着した臭気成分を分解する温度に加熱するとともに集塵手段と脱臭手段の空気流の下流側に位置するようにしているので塵埃の焼却効果および臭気成分の酸化分解を促進し、空気清浄効果を増進することができる。
【００５３】
また、集塵手段および脱臭手段は第１の加熱手段と第２の加熱手段の間に配置しているので、集塵手段から剥離した塵埃や脱臭手段から脱着した臭気成分が逆流した場合でも確実に焼却、酸化分解することができる。
【００５４】
また、集塵手段を空気中の塵埃を帯電させて捕集する放電部と集塵部から構成し、第１の加熱手段と第２の加熱手段の少なくともどちらか１方へ通電時に集塵手段への通電を停止し、第１の加熱手段および第２の加熱手段へ非通電時に集塵手段に通電するようにしているので、第１の加熱手段と第２の加熱手段の少なくともどちらか１方へ通電時に集塵手段に捕捉した塵埃を剥離しやすくし、剥離した塵埃をヒータの近傍を通過させて焼却を効果的に行うことができる。
【図面の簡単な説明】
【図１】本発明の実施例１の空気清浄機能付き暖房機の断面図
【図２】同空気清浄機能付き暖房機の特徴を説明するための特性図
【図３】本発明の実施例２の空気清浄機能付き暖房機の動作説明図
【図４】本発明の実施例３の空気清浄機能付き暖房機の動作説明図
【図５】本発明の実施例４の空気清浄機能付き暖房機の断面図
【図６】本発明の実施例１及び５の空気清浄機能付き暖房機の断面図
【図７】本発明の実施例６の空気清浄機能付き暖房機の動作説明図
【図８】本発明の実施例７の空気清浄機能付き暖房機の断面図
【図９】本発明の実施例８の空気清浄機能付き暖房機の断面図
【図１０】本発明の実施例９の空気清浄機能付き暖房機の動作説明図
【図１１】従来の空気清浄機能付き暖房機の断面図
【符号の説明】
８  下部開口
９  上部開口
１０  通風路
１１  ヒータＡ１１（第１の加熱手段）
１２  脱臭手段
１３  集塵手段
１４  ヒータＢ１４（第２の加熱手段）
１５  ファン
１９  放電部
２０  集塵部
【図１】
0003726365.tif 000003
【図２】
0003726365.tif 000004
【図３】
0003726365.tif 000005
【図４】
0003726365.tif 000006
【図５】
0003726365.tif 000007
【図６】
0003726365.tif 000008
【図７】
0003726365.tif 000009
【図８】
0003726365.tif 000010
【図９】
0003726365.tif 000011
【図１０】
0003726365.tif 000012
【図１１】
0003726365.tif 000013